(57)【要約】  トップシート（１２）と、バックシート（１６）と、トップシート（１２）とバックシート（１６）との間に置かれた吸収性コア（１４）とを有する婦人衛生物品（１０）である。この物品は印刷パターン（２２）を含み、その印刷パターン（２２）は、バックシート（１６）の衣類に面する側面（１６１）上に印刷される。その印刷パターン（２２）は、コア領域（２０）の外側のトップシート（１２）の少なくとも一部分を通じて視認可能である。
2010527681.tif 000002
【特許請求の範囲】
【請求項１】
ｉ）トップシート（１２）と、
ｉｉ）バックシート（１６）と、
ｉｉｉ）前記トップシート（１２）と前記バックシート（１６）との間に置かれた吸収性コア（１４）とを備える婦人衛生物品（１０）であって、
前記コア（１４）が前記トップシート（１６）の表面上にコア領域（２０）を画定し、前記コア領域（２０）が前記トップシート（１６）の前記表面よりも相当に小さく、
前記物品（１０）が印刷パターン（２２）を含み、前記印刷パターン（２２）が、前記バックシート（１６）の衣類に面する側面（１６１）上に印刷され、
前記印刷パターン（２２）が、前記コア領域（２０）の外側にある前記トップシート（１２）の領域の少なくとも一部分（２１）を通じて視認可能である物品。
【請求項２】
前記物品（１０）が５ｍｍ未満の厚さを有する、請求項１に記載の物品。
【請求項３】
前記コア領域（２０）の表面が、前記トップシート（１２）の全表面の２０％と８０％との間である、請求項１又は２に記載の物品。
【請求項４】
前記コア領域（２０）の前記表面が、前記トップシート（１２）の全表面の３０％と７０％との間である、請求項３に記載の物品。
【請求項５】
前記物品（１０）がパンティライナーである、請求項１〜４のいずれか一項に記載の物品。
【請求項６】
前記印刷パターン（２２）が、前記バックシート（１６）の表面の２％〜４０％を覆う、請求項１〜５のいずれか一項に記載の物品。
【請求項７】
前記印刷パターン（２２）が、前記印刷層（１６）の表面の８％〜２５％を覆う、請求項６に記載の物品。
【請求項８】
前記印刷パターン（２２）が疎水性インクで印刷される、請求項１〜７のいずれか一項に記載の物品。
【請求項９】
前記物品がエンボスパターン（２４）を備え、
好ましくは、前記エンボスパターンが、部分的に又は完全に前記コア領域（２０）内でエンボス加工される、請求項１〜８のいずれか一項に記載の物品。
【請求項１０】
前記バックシート（１６）が不織布ウェブを備える、請求項１〜９のいずれか一項に記載の物品。
【発明の詳細な説明】
【技術分野】
【０００１】
本発明は、婦人衛生物品、例えば一般に「パンティライナー」と称される物品に関する。
【背景技術】
【０００２】
体液及び他の排出物を婦人の解剖学的構造の外陰部から収集するための婦人衛生物品が、長年にわたって商業的に提案されてきた。タンポン又は月経用パッドなどの婦人衛生物品が、元来、月経期の間の月経分泌物などの排出物を収集するために使用されてきた。また、一般にパンティライナーと称される物品が、例えば流れが軽度である月経期の初期若しくは末期に又は月経期以外に、例えば日々の膣分泌物又はわずかな尿漏れを吸収するように、着用者の下着を軽度の汚れから保護する目的で提案されてきた。
【０００３】
パンティライナーは通常、他の吸収性物品よりも、必要とする吸収性が低いが、これは主に、単に月経用の吸収性物品又は成人用失禁製品よりも、処理しなければならない液体の量が少ないからである。したがって、パンティライナーは通常、生理用パッドなどの他の吸収性物品と比較して、より薄いものとなっている。いくつかのパンティライナーは、トップシートと吸収性コアとバックシートとを有する、比較的簡潔な構造をなす。例えば第２のトップシート及び／又は第２のバックシートを有する更なる層を有する、より複雑で高コストの構造が提案されてきた。
【０００４】
トップシートよりも相当に小さなコアを有する吸収性物品が、商業的に提案されてきた。例えば、プロクター・アンド・ギャンブル社（Procter & Gamble Company）は、あるパンティライナーをディスクリート（Discreet）（登録商標）という商標名で販売しており、このパンティライナーは、概ね「ドッグボーン（dog-bone）」形状の物品内に楕円形状のコアを有している。
【０００５】
国際公開第２００４／００６１８（Ａ１）号には、物品の身体に接触する表面を通じて視認可能な図形を有する吸収性物品が開示されている。この図形は、衣類に接触する層の身体に面する表面上又は身体に接触する層の衣類に面する表面上のいずれかに印刷される。
【０００６】
横漏れ、すなわち、既に吸収された液体の、物品のコアの側縁部を通じた漏れは、婦人衛生物品の分野における共通した問題である。特に外向き方向に液体が進行することに対する物理的障壁を設けることによって、この問題を解決するか又は緩和する試みが過去に行われてきた（例えば、国際公開第２００４／０６０２４２（Ａ１）号を参照）。しかしながら、これらのシステムはコストを増大させるものであり、広く採用されてはいない。したがって、ユーザーが時折、物品内における吸収された流体の進行を確認し、吸収された液体が吸収性コアの縁部に接近しているときに物品を新しいものと交換することが一般的である。
【０００７】
しかしながら、コアの表面が、物品の全表面よりも小さく、そして、特にコア自体が非常に薄い物品においては、上で論じられた物品のバックシート及びトップシートによって形成された包囲体内の、どこにコアの境界が置かれているかをユーザーが判断することが困難となり得ることが判明している。これらの条件により、ユーザーは、吸収性コアが最大容量に近づいたことを容易には判断できなくなり、したがって、横漏れが生じる前に物品を交換できないという問題が生じることがある。このことは、他の製品よりも低い吸収能力を有する薄型の物品に対し、深刻な問題となり得る。あるいは、ユーザーはまた、液体がコアの縁部のいずれかに接近しているかもしれないという恐れから、物品を時期尚早に交換しようとすることがある。
【先行技術文献】
【特許文献】
【０００８】
【特許文献１】国際公開第２００４／００６１８（Ａ１）号
【特許文献２】国際公開第２００４／０６０２４２（Ａ１）号
【発明の概要】
【発明が解決しようとする課題】
【０００９】
したがって、明確に区別され、比較的安価に製造され、それでいて依然として良好な流体処理能力を有する婦人衛生物品が求められている。また、そのような物品により、消費者は、吸収された液体がコアの縁部に接近していることを感知することが可能となる。
【課題を解決するための手段】
【００１０】
本発明は、トップシートと、バックシートと、そのトップシートとバックシートとの間に置かれた吸収性コアとを備える婦人衛生物品に関する。コアは、トップシートの表面上にコア領域を画定する。コア領域は、トップシートの表面よりも相当に小さい。物品のバックシートには、その衣類に面する側面上に、ある印刷パターンが印刷される。その印刷パターンは、少なくとも、トップシートのコア領域の外側にある、トップシートの領域の一部分を通じて視認可能である。
【図面の簡単な説明】
【００１１】
本明細書は、本発明を具体的に指摘しかつ明確に主張する特許請求の範囲で完結するが、本発明は、添付の図面と共になされる好ましい実施形態の以下の説明により、より理解されると考えられる。添付の図面において、同様の参照符号は同一の要素を識別するものである。
【図１】本発明によるパンティライナーの分解斜視図。
【図２】図１のパンティライナーの異なる角度からの分解斜視図。
【図３】図１のパンティライナーの斜視図。
【図４】図１のパンティライナーの平面図。
【図５】本発明の別の実施形態の平面図。
【図６】本発明の更に別の実施形態の平面図。
【発明を実施するための形態】
【００１２】
本明細書は、本発明を具体的に示しかつ明確に主張する特許請求の範囲をもって完結するが、本発明は以下の説明によってより深く理解されると考えられる。
【００１３】
本明細書で使用されるとき、「婦人衛生物品」という用語は、膣排泄物及び／又は尿漏れを収集し、女性の下着を汚れから保護するために女性によって外側から使用される使い捨て吸収性物品のカテゴリ、特にパンティライナーを指す。これらの物品は通常、折り畳まれた構成又は折り畳まれていない（平坦な）構成のいずれかで消費者に販売される。婦人衛生物品は、典型的には、ユーザーの下着によってユーザーの恥骨部に隣接して定位置に保持され、その下着に、剥離可能な接着剤又は他の接合手段によって固着されることができる。
【００１４】
ここで図１を参照すると、婦人衛生物品１０が、分解図において、上部から下部へ、トップシート１２、吸収性コア１４、及びバックシート１６の層を備えて示されている。また、バックシート層の外表面上の接着材料を覆うために存在してもよい剥離可能なカバー１８が示されている。物品の「上部」は、本明細書において、使用時にユーザーの身体に向けられる物品の表面として定義され、「下部」は、本明細書において、物品の反対側の表面、すなわち女性の下着と接触する表面として定義される。本明細書で使用するとき、「コア領域」という用語は、吸収性コア１４のすぐ上にあるトップシート１２の領域２０を指す。
【００１５】
剥離可能なカバー１８は、吸収性製品が下着内に配置されたときユーザーによって廃棄され、また物品の厚さを測る目的で破棄される。
【００１６】
吸収性コア１４
本発明の物品は、トップシート１２とバックシート１６との間に配置された吸収性コア１４を備える。本明細書で使用されるとき、「吸収性コア」という用語は、尿、血液、月経分泌物、及び／又は他の身体排出物などを吸収、分配、及び格納するのに好適な材料又は材料の組み合わせを指す。
【００１７】
吸収性コア１４の寸法及び形状は、コア領域２０が物品のトップシートよりも相当小さい表面を有するものである。「相当小さい」とは、コア領域１０の表面が、トップシート１２の表面よりも少なくとも約１０％小さいことを意味している。トップシート１２は、バックシート１６と近接していてもよい。吸収性コア１４は、物品の中央において概ね中心に置かれてもよい。吸収性コア１４は、物品の中央において概ね中心に置かれてもよく、また、物品の縁部に沿った柔軟性を向上させるために物品の周辺から離れて設けられてもよい。
【００１８】
トップシートよりも相当小さい表面を有する吸収性コアを設けることによって、いくつかの利点が得られる。使用されるコア材料の量が減じられ、製品を製造する総コストが低下する。また、コアが設けられていない製品の範囲は、コアが位置する範囲よりも一般に剛性が低いため、小さい表面を有するコアは、製品の全体的な柔軟性を増加させる。
【００１９】
吸収性コア１４は、図に示されているような楕円形状を有してもよいが、任意の他の形状を有してもよい。例えば、吸収性コアは、製造を容易にするために矩形に形作られるのが通例である。しかしながら、柔軟性は、湾曲形状を有し直角を持たないコアを用いると、より良好となり得る。
【００２０】
コア領域の表面積とトップシート１２の表面積との比は、望ましくは、約２０％と約９０％との間、約３０％と約７０％との間、及び約４０％と約６０％との間の範囲のいずれかの範囲内で構成され得る。トップシート１６の表面はコア領域２０を包含しており、コア領域２０はトップシートの表面の一部である。トップシートの表面は、コア領域２０の表面と、コア領域の外側のトップシート１６の領域２１とを合計したものである。
【００２１】
吸収性コア１４は、任意の好適な材料で作られ得る。好適な液体吸収性材料の非限定的な例には、一般にエアフェルトと呼ばれる粉砕された木材パルプ；縮みセルロース詰め物（creped cellulose wadding）；ヒドロゲル形成高分子ゲル化剤などの超吸収性ポリマーを含む吸収性ゲル材料；化学的に剛化、改質、若しくは架橋されたセルロース繊維；コフォームを含むメルトブローンポリマー；捲縮ポリエステル繊維を含む合成繊維；ティッシュラップ及びティッシュラミネートを含むティッシュ；毛管路繊維；吸収性フォーム；吸収性スポンジ；合成ステープル繊維；ピートモス；若しくは任意の同等の材料；又はそれらの組み合わせが挙げられる。吸収性コアは、例えば吸収性コアの厚さを減じる目的で、通常はセルロース繊維の母材内に分配される超吸収性ポリマー（ＳＡＰ）を含む。
【００２２】
吸収性コアは一体的であってもよく、又は、２つ以上の層の積層体であってもよい。例えば、コアは、吸収性コアによって保持された液体がパンティライナーを通り抜けて隣接する衣類を汚すのを防止するために、バックシートに面する側面上に液体不浸透性のバリア層（例えばＰＥパッチ）を含んでもよい。代表的なＰＥパッチは、ブリトンタコ社（Britton Taco）（英国）からＳＴ−０１２Ａ−Ｗｈｉｔｅの商標名で入手可能な２５ｇｓｍのポリフィルムである。
【００２３】
吸収性コアに関する更なる包括的な情報は、先の特許公報に見出されることができる（例えば、国際公開第０２０７６６２（Ａ１）号及び同第９１１９４７１号を参照）。
【００２４】
印刷パターン２２
市販されている婦人衛生物品は、多くの場合、実質的に全体として白色の外観を有している。トップシートの表面よりも相当小さい表面を持つ吸収性コアを有する物品の場合、本発明者らが発見したところによると、一部のユーザーにとって、コアの境界を区別することが困難となり、したがって、吸収された液体がコアの側部に接近していること、また横漏れを防止するために物品が交換されるべきことを判断することが困難となり得る。このことは、約５ｍｍ未満の厚さを有する比較的薄い物品に対し、特に問題となる。
【００２５】
本発明者らが発見したところによると、この問題の解決策は、本明細書においてコア領域２０と称される、吸収性コアのすぐ上にあるトップシートの領域と、コア領域の外側のトップシートの領域２１の少なくとも一部分、すなわち、物品が定位置に置かれたときにユーザーに面するトップシートの表面の残りの少なくとも一部分又はすべてとの間に、視覚的な対比をもたらすことであった。この視覚的な対比は、ユーザーが物品内の吸収性コアの周辺部を容易に判断する助けとなる。
【００２６】
本発明者らが発見したところによると、トップシート１４のコア領域２０と、コア領域２０の外側のトップシートの領域２１との間のこの対比を生じさせる費用効果的な方法は、バックシート１６に印刷パターン２２を与えることであった。本発明者らが発見したところによれば、バックシート１６の衣類に面する側面１６１（すなわち、外向きに面するバックシートの側面）上に、際立った問題なくパターン２２を印刷することが可能であった。
【００２７】
バックシート１６の衣類に面する側面１６１上に印刷することの潜在的な１つの利点は、剥離カバー１８（透明であっても半透明であってもよい）を通じた印刷パターン２２の視認性が向上することである。これによって、「印刷されたような」剥離カバーの効果が生じ得る。衣類に面する側面１６１上に印刷パターン２２を印刷されたバックシート１６を有することで、剥離カバー１８自体に印刷することを不要にして、パターンの重なり及び追加コストを回避することができる。潜在的なもう１つの利点は、物品が窓付きのバッグ又は箱にパッケージされると、消費者が、供給されたカートン箱／バッグから印刷パターンをより適切に識別できるようになり得ることである。
【００２８】
従来のコア材料は、通常は透明でなく、多くの場合は実質的に不透明であるため、印刷パターン２２は、コア領域２０を通じて視認可能でないか、又は、少なくとも、コア領域２０の外側にあるトップシートの領域２１を通じるのと比べてはるかに視認性が低い。しかしながら、印刷パターン２２は、コア領域２０の外側にあるトップシートの表面２１の少なくとも一部分を通じた透明性によって視認可能である。「視認可能である」とは、白熱光で明るく照明された室内で約５０ｃｍの距離に物品を保持するとき、良好な視力（１０／１０）を両眼に有する被験者が、印刷パターン２２を見ることができることを意味している。その一方で、従来のトップシート及びバックシート層は、通常は実質的に透明又は半透明であり、そのため、印刷パターンは、コア領域の外側でのこれらの層を通じた透明性によって、物品の身体に面する側面上で視認可能である。
【００２９】
バックシート１６上の印刷パターン２２の表面範囲は様々であってよい。バックシート層の全表面の約２％〜約４０％に及ぶ表面範囲を有することが望ましい場合がある。約２％未満では、印刷領域は、トップシート１２のコア領域２０と残りの領域２１の少なくとも一部分との間の視覚的な対比をもたらすのに役立つには、大きさが十分でない場合がある。約４０％を超える表面範囲では、使用されるインクの量の増加に起因してコストが増大するため、望ましくない。好都合には、約８％と約２５％との間の表面範囲が選択され、良好な費用便益の釣り合いを得ることができるが、これらの範囲のいずれも限定的なものと見なされるべきではない。
【００３０】
印刷パターン２２は、図１に示されるように、一連の分散した不連続的な印刷要素を備えてもよく、これらの要素は、印刷パターン２２内で同一であっても異なっていてもよい。もちろん、示されたもの以外の不連続的な要素、例えば花の装飾要素（花、葉）、星、又は他の任意の装飾要素が使用されてもよい。更には、図５及び図６に示される通りである。印刷パターン２２はまた、不連続的な要素よりもむしろ連続的な要素からなっていてもよい。
【００３１】
印刷パターン２２は、フレキソ印刷又はグラビア印刷などの任意の通常の印刷方法でバックシート層１６上に印刷され得る。印刷パターン２２は、コア領域２０の外側の物品のトップシートの少なくとも一部分２１を通じて視認可能となるのに十分に濃いインクで印刷されるべきである。黒色のインクが使用されてもよいが、ピンク色、青紫色、緑色、紫色、青色、若しくは黄色などの色付きのインク、又は更に様々な色付きのインクの組み合わせを使用することが好ましい場合もある。「印刷パターン」とは、主として、上で論じた通常のインク印刷法によって得られる視認可能なパターンを意味している。「印刷パターン」という用語はまた、あまり一般的ではないが同じか又は同様の効果をもたらす技法によって得られるパターンをも包含し、例えば、可塑性の不織布層（例えばバックシート）を熱捲縮し、その結果、後に半透明となる捲縮された領域が、インクで印刷された領域と同様の視覚的効果をもたらすことによって、同様の視覚的効果を得ることが可能となり得る。例えば、ユーザーのパンティが色付きである場合、パンティの色は、捲縮された範囲を通じて、より視認可能となる。
【００３２】
本発明で必要となるものではないが、インクが液体をコアから外に「引き出す」のを防止するために、疎水特性を持つインクが望ましい場合もある。多くの市販のインクは溶剤系であり、したがって疎水効果をもたらすことが可能である。加えて、オイル又はワックスなどの疎水剤が、所望により市販のインク組成物に添加されてもよい。「溶剤系」インクは、様々な色素、樹脂又は結合剤、及びワックスなどの添加剤を担持するための移動相として水を使用しない。典型的には、「溶剤系」インクは、アルコール、エステル、脂肪族化合物、及び芳香族化合物などの様々な有機溶媒のうちの１つ以上を使用して、これらの構成成分を可溶性にしている。樹脂を十分に可溶性にする溶剤は、一般に「活性」と呼ばれ、一方「活性」でないものは「希釈剤」と呼ばれる。典型的に、ポリアミド、セラック、ロジンエステル、ニトロセルロース、及びスチレンマレイン酸などの一般的な結合剤のタイプと共に脂肪族炭化水素を使用する溶剤系インクが、本明細書における使用に好適である。好適なインクの例が、サンケミカル／ハルトマンニーダーハウゼン／ＴＳ（Sunchemical/Hartmann Niederhausen/TS）により商標名Ｐ−３２２８／８１１  ＰＭＳ  ２７０  Ｌａｖｅｎｄｅｒ又は商標名Ｖ８１８５／８１１  ＰＭＳ  ３８２  Ｇｒｅｅｎとして供給されている。「水性」インクは、典型的には水を主に移動相として使用する。水性インクはまた、製品の性能に実質的に悪影響を及ぼさない場合、本発明に好適となり得る。
【００３３】
バックシート１６
バックシート１６は、任意の好適な材料、例えば任意の標準的なバックシート材料で作製することが可能である。これらの材料は一般に、柔軟であり、耐液性があり、かつ液体不透過性がある。バックシートの一般的な機能は、コアによって吸収された排泄物が生理用ナプキンから流出し、着用者の衣服及び寝具を汚すのを防止することである。
【００３４】
ポリオレフィンフィルム又は不織布ウェブなど、任意の通常のバックシート材料を本発明において使用することが可能である。不織布ウェブは、通常は物品の通気性を良好にするため有利となることがあり、また、ポリオレフィンフィルムよりも廉価となり得る。例えば、ＢＢＡニューベルガー社（BBA Neuberger）（イタリア国）から入手可能な４デニールのポリプロピレン繊維でできた比較的疎水性のある２３グラム毎平方メートル（ｇｓｍ）のスパンボンド不織布ウェブが使用されてもよい。
【００３５】
トップシート１２
トップシート１２は、着用者の身体に向けられかつ接触する物品の層であり、したがって身体排泄物を受容する最初の層である。トップシートは、通常は図に示されているように単一の層でできているが、複数の層（例えば、国際公開第９３／０９７４４号又は欧州特許第７６６，９５３号において開示されているように、中央のトップシート層と、２つの重なり合う横ストリップ）を含むことが可能である。
【００３６】
トップシート１２は通常、液体透過性がある。「液体透過性がある」という用語は、本明細書で使用されるとき、液体の透過を著しく遅延させるか又は妨げることなく液体を通過させる構成要素を指す。
【００３７】
想定されることとして、任意の通常のトップシート材料が、その材料が完全に不透明でない限りは本発明において使用されてもよい。好適なトップシートが、不織布材料又は穿孔ポリオレフィンフィルムから作製され得る。本明細書における使用に好適な代表的なトップシートは、チェコ共和国のペガス社（Pegas a.s.）から入手可能なシースコアタイプ（ＰＰ／ＰＥ）のバイコンポーネント繊維を含んだ、比較的疎水性のある２０ｇｓｍのスパンボンド不織布ウェブである。
【００３８】
所望により、トップシート１２は、コアへの液体浸透性を向上させるために、界面活性剤を吹き付けけてもよい。トップシートは、典型的には、非イオン性であり、皮膚に対して非刺激性であるべきである。トップシートの面積の１平方センチメートル当たり約０．０１ミリグラムの界面活性剤密度が通常は好適である。代表的な界面活性剤が、コネチカット州グレニッチ（Greenwich）のグリコケミカル社（Glyco Chemical, Inc.）によってＰｅｇｏｓｐｅｒｓｅ  ２００  ＭＬとして販売されている。トップシートは、その上に付着した液体をコアにより迅速に通過させるために、複数の孔を有していてもよい。
【００３９】
トップシート１２及びバックシート１６は、既知の技法を使用して、優先的に周辺部において接合されている。また、物品の層は互いに接着されてもよい。
【００４０】
エンボスパターン２４
本発明の物品は、好都合にも、エンボスパターン２４を呈することができる。エンボス加工は通常、重なり合う層同士を接合すること、及び／又は、トップシートを通じてコアに向かう迅速な流体通路を設けることなど、いくつかの機能を果たすことができる。理想的には、エンボス加工はまた、審美的に心地よいものとなり得る。エンボスパターンは、熱接着、超音波接着、又は加圧などの標準的な技法で達成することができる。好適なプロセスは熱接着であり、層は、一方は視覚的パターンが彫刻され、もう一方は平坦である２つのスチールロールを通過する。双方のロールは、層を溶融するのに好適な温度（典型的には９０℃〜１７０℃の範囲）に暖められる。エンボスパターンは、部分的に又は完全にコア領域内にあってよい。これによって、トップシートの残り２１と比較したコア２０の示差性を、更に高めることができる。
【００４１】
エンボスロールは、大部分のエンボスパターンに対して機械加工などの通常の技法を使用して彫刻されてもよいが、より微細な彫刻を、したがって、例えば図６に示すように、より微細なエンボスパターンを施すためには、酸エッチング又はレーザー彫刻を使用することが好ましい場合がある。
【００４２】
剥離可能なカバー１８
バックシート１６の衣類に面する側面１６１は、物品１０を着用者の下着に取り付けるための手段を含むことが可能である。感圧性接着剤が、この目的に対して十分に機能することが一般に見出されてきた。生理用ナプキンの前面又は後面のいずれかが着用者の下着から外れるのを十分に防止するために、長手方向に向けられた１本又は２本の接着剤のストリップを使用することが通例である。接着剤のストリップは、連続的であっても断続的であってもよい。例えば、長手方向に向けられた２本のストリップが、長手方向中心線の両側に１本ずつ適用されてもよい。また、バックシートを完全に覆って適用されてもよい。接着剤は、ダイレクトスロットコーティング適用プロセス（direct slot coating application process）によって適用されてもよい。また、接着剤が適用されず剥離カバーがバックシートに取り付けられていない、バックシートの小さい領域など、いわゆる「フィンガーリフト（finger lift）」が、剥離可能なカバーをユーザーが除去するのを容易にするために設けられてもよい。
【００４３】
バックシート表面上にコーティングされた接着剤は、典型的には、剥離可能な保護カバー１８に設けられ、その保護カバー１８は、使用時点でユーザーによって除去される。剥離可能なカバーは、シリコーンでコーティングされた剥離紙、プラスチックフィルム、又は任意の他の容易に除去可能なカバーであってよい。剥離可能なカバーは、単一片であってもよく、又は、例えば、個別の接着剤領域を覆い、それらを異物から保護するために、複数片であってもよい。また、剥離可能なカバーは、物品を個別にパッケージすること、又は使い捨ての機能を与えることなど、他の機能を実施することもできる。任意の市販の剥離紙又はフィルムが使用されてもよい。好適な例には、アクロジル社（Akrosil Corporation）から入手可能なＢＬ  ３０  ＭＧ−Ａ  ＳＩＬＯＸ  ＥＩ／Ｏ、ＢＬ  ３０  ＭＧ−Ａ  ＳＩＬＯＸ  ４  Ｐ／Ｏ、及びドイツ国のグロナウ社（Gronau）から入手可能なＭ＆Ｗフィルムが挙げられる。
【００４４】
上記のように、バックシート１６の衣類に面する側面１６１上に印刷することの、潜在的な１つの利点は、剥離カバー１８（透明であっても半透明であってもよい）を通じた印刷パターン２２の視認性が向上することである。これによって、「印刷されたような剥離紙の効果」が生じ得る。
【００４５】
全般
本発明による吸収性物品の厚さは、好都合にも、通常の生理用パッドなどの多くの他の婦人用吸収性物品と比較して、相対的に薄いものとなることができる。本発明の物品は、以下に述べる標準的な試験を用いて測定して、約５ミリメートル未満の厚さ（「キャリパー」とも呼ばれる）を有することが可能である。望ましくは、非常にはっきりと区別される（discrete）物品を提供するために、物品は更に薄くてもよい。物品の厚さの下限は、技術的な実現可能性によって決まるが、０．４ｍｍ未満の薄さの有効な物品を得ることは困難となり得る。本発明の物品に対する好適な厚さの範囲には、約０．４ｍｍ〜約４ｍｍ、及び約０．６ｍｍ〜約３ｍｍの範囲が挙げられる。本明細書において使用されるとき、「物品の厚さ」という用語は、物品の中心で測定した、すなわち通常はコア１４の厚さを含めた厚さの値を指す。
【００４６】
本発明の物品の、水平面における寸法は、当該技術分野の物品に典型的なものである。例えば、そのような製品の長さは通常、物品の長さでは約８ｃｍ〜約２０ｃｍ、物品の幅では約３ｃｍ〜約９ｃｍの範囲内にある。また、物品の全表面積は（したがって、典型的にはトップシートの表面積は）、これらの物品に関して見受けられる通常の範囲内にあってもよく、その範囲は、通常は約４０ｃｍ２〜約２５０ｃｍ２である。図に示されるパンティライナーなどのパンティライナーの代表的な寸法を提示する目的で、かかるパンティライナーは、１５ｃｍの長さ、４．８ｃｍの幅（中央で）、７９ｃｍ２の物品の全表面積、及び３８ｃｍ２のコア領域の表面積を有してもよい。図示の物品の代表的な厚さは０．９ｍｍである。
【００４７】
物品は、いわゆる「ウィング」を備えていても備えていなくてもよく、このウィングは、下着の周りで折られることになる側方の包み要素である。しかしながら、これらのウィングは、通常は生理用パッドに使用されるものであり、パンティライナーなどの薄い製品には通常は存在しないものである。
【００４８】
本発明の物品は、通常は使い捨てであり、すなわち、再使用可能に又は洗濯可能にすることは意図されないが、通常は使用後に廃棄される。
【００４９】
製造方法
本発明の生理用物品は、任意の通常の手段によって産業的に生産されることができる。したがって、様々な層が、エンボス加工（例えば熱接着）若しくは糊付け又はそれら双方の組み合わせなどの標準的な手段を使用して組み立てることが可能である。加工ライン（converting line）は、インクが物品のバックシートに塗布される印刷工程を含んでもよい。しかしながら、ある層が他の層のいずれかと接合される前に、物品の加工ラインの外部で、バックシート上に印刷工程を実施することで、より簡潔となる場合もある。
【００５０】
厚さの測定
本発明の物品は、比較的薄くかつ嵩高でないものとなることができ、そのため、厚さの測定は、例えば厚いパッドなどの嵩高の物品と比べて、測定を行うときに加えられる圧力にあまり依存しなくなる。本発明の物品の厚さを測定するために、以下の具体的な方法を用いることができる。その装置は、０．０１ｍｍの許容差で厚さを測定することが可能な機器を含んでよい。そのような装置の民間供給業者は、例えば小野測器社（Ono Sokki）（www.onosokki.net）であり、例えば、同社のキャリパーゲージＧＳ−５０３及びデジタルリードアウトＤＧ  ２６１０が使用されてもよい。このキャリパーゲージは、脚部が装着されており、その脚部は、代表的な２４．１３ｍｍの直径を有することができる。測定が行われるときに及ぼされる好適な圧力は、０．６８９ｋＰａである。
【００５１】
試験手順は次の通りである。マイクロメーターが、ゼロの目盛りに合わせられていることを確認する。剥離カバーのない物品を、トップシートを上向きにして、ベースプレート上に置く。物品が圧縮された状態で提供される場合（特定のパッケージでよくあるように）、厚さを測定する前に、物品を約１０分間、休ませる。同様に、物品が折り畳まれて提供される場合、物品をまず広げ、約１０分間、「平坦な」形状に休ませる。脚部を降下すると脚部が物品の中央に位置するように、物品をベースプレート上に配置する。脚部をそれ自体で、５ｍｍ／秒±２ｍｍ／秒の速度で物品上に穏やかに下降させる。脚部が静止した１０秒後にマイクロメーターの目盛り盤を読むことで、物品のキャリパーを測定する。シャフト及び脚部は、２４．１３ｍｍの直径を有する上述の脚部を用いて、０．６９±０．０２ｋＰａの圧力に対する約３２グラム重の力をサンプルに伝達することになる。
【図１】
2010527681.tif 000003
【図２】
2010527681.tif 000004
【図３】
2010527681.tif 000005
【図４】
2010527681.tif 000006
【図５】
2010527681.tif 000007
【図６】
2010527681.tif 000008
【国際調査報告】
2010527681.tif 000009
2010527681.tif 000010
2010527681.tif 000011
2010527681.tif 000012